(57)【要約】【課題】ユーザーに負担をかけることなく、正確な文字入力を簡単かつ容易に行うことが可能な情報機器を提供する。【解決手段】情報機器１０は、パーソナルコンピュータ本体２０、入力装置３０、外部記憶装置４０、主表示装置５０、補助表示装置６０などから構成されている。補助表示装置６０は、主表示装置５０に比べて小型であり、キーボード３２の近傍に設置しても邪魔にならない大きさに形成されている。そして、補助表示装置６０の設置場所は、キーボード３２を操作するユーザーが、キーボード３２から視線を移動させることなく補助表示装置６０の表示画面を視認可能な場所に設定されている。補助表示装置６０には、主表示装置５０の文字カーソル近傍の画像が大きく表示されると共に、文字入力モードを表す記号が画面右端に表示される。【選択図】　図１
2004030155.tif 000002
【特許請求の範囲】
【請求項１】
文字入力を行うための入力装置と、
その入力装置を用いて入力された文字を表示画面に表示するための主表示装置と、
その主表示装置の表示画面の一部を表示するための補助表示装置と
を備えたことを特徴とする情報機器。
【請求項２】
請求項１に記載の情報機器において、
前記補助表示装置は、前記入力装置の近傍に設置され、その設置場所は、前記入力装置を操作するユーザーが、前記入力装置から視線を移動させることなく前記補助表示装置の表示画面を視認可能な場所に設定されていることを特徴とする情報機器。
【請求項３】
請求項１または請求項２に記載の情報機器において、
前記補助表示装置は、前記入力装置と一体化されていることを特徴とする情報機器。
【請求項４】
請求項１または請求項２に記載の情報機器において、
書類を固定するための書類押さえ装置を備え、
前記補助表示装置は、前記書類押さえ装置に取り付けられていることを特徴とする情報機器。
【請求項５】
請求項１〜４のいずれか１項に記載の情報機器において、
前記補助表示装置は、前記主表示装置の表示画面で指定された文字画像を拡大表示することを特徴とする情報機器。
【請求項６】
請求項５に記載の情報機器において、
前記補助表示装置は、前記主表示装置の表示画面で指定された文字画像を拡大表示することに加えて、入力文字の文字種類を表す文字入力モードを表示することを特徴とする情報機器。
【請求項７】
請求項１〜６のいずれか１項に記載の情報機器において、
前記補助表示装置は、表計算ソフトウェアの使用に際して、前記主表示装置の表示画面で指定された計算枠に設定されている数式の内容または数値を表示することを特徴とする情報機器。
【請求項８】
請求項１〜７のいずれか１項に記載の情報機器において、
前記補助表示装置は、ビットマップ画像編集ソフトウェアの使用に際して、前記主表示装置の表示画面で指定された部分の拡大画像を表示することを特徴とする情報機器。
【発明の詳細な説明】
【０００１】
【発明の属する技術分野】
本発明は情報機器に係り、例えば、キーボードなどの入力装置と表示装置とを備えたパーソナルコンピュータシステムなどの情報機器に関するものである。
【０００２】
【従来の技術および発明が解決しようとする課題】
従来、入力装置としてキーボードを用いる情報機器（例えば、ワードプロセッサやパーソナルコンピュータなど）を使用して文字入力を行う際に、所望の文字ではない誤った文字が入力されたり、同音異義語が誤って入力されることがあった。
その原因のひとつとして、タッチタイピング（ブラインドタッチ）ができない未熟なユーザーが、表示装置を見ないでキーボードだけを見ながら文字入力を行うことがあげられる。
【０００３】
特に、日本語入力では、キーボードを使用してローマ字入力またはカナ入力を行った後に漢字変換を行う際に、同音異義語に変換される場合が多々あり、そのような場合に表示装置に表示された漢字変換結果を見ないで入力を続けると、文章入力の完成後にも誤りに気付かないおそれがある。
例えば、ユーザーが「県の件」と入力したい場合に、「けんのけん」と入力して漢字変換を行うと、「件」が同音異義語の「県」に変換され、結果として「県の県」と誤って変換されることがあった。
また、タッチタイピング（ブラインドタッチ）ができないユーザーが、上記のような誤入力を防止するために、キーボードを使用して文字入力を行う度に表示装置の表示を確認するとなると、キーボードと表示装置との間で頻繁に視線を移動させることになり、眼精疲労を招くおそれがあった。
【０００４】
情報機器のユーザーがタッチタイピングを習得すれば、上記のような誤入力を防止すると共に視線の移動が不要になるが、タッチタイピングの習得には多大な労力を要し、特に中高年のビギナーには大きな負担を強いることになる。
本発明は上記問題点を解決するためになされたものであって、その目的は、ユーザーに負担をかけることなく、正確な入力を簡単かつ容易に行うことが可能な情報機器を提供することにある。
【０００５】
【課題を解決するための手段・作用および発明の効果】
（請求項１）
係る目的を達成するためになされた請求項１に記載の発明は、文字入力を行うための入力装置と、その入力装置を用いて入力された文字を表示画面に表示するための主表示装置と、その主表示装置の表示画面の一部を表示するための補助表示装置とを備えた情報機器をその要旨とする。
従って、請求項１に記載の発明によれば、情報機器のユーザーは、主表示装置の表示画面を見ながら入力装置を用いて文字入力を行うだけでなく、補助表示装置に表示される主表示装置の表示画面の一部を見ながら入力装置を用いて文字入力を行うことができる。
そのため、補助表示装置をユーザー自身が見易い場所に設置し、主表示装置の表示画面においてユーザーが所望する部分を補助表示装置に表示させるようにすれば、ユーザーに負担をかけることなく、正確な入力を簡単かつ容易に行うことができる。
【０００６】
（請求項２）
次に、請求項２に記載の発明は、請求項１に記載の情報機器において、前記補助表示装置は、前記入力装置の近傍に設置され、その設置場所は、前記入力装置を操作するユーザーが、前記入力装置から視線を移動させることなく前記補助表示装置の表示画面を視認可能な場所に設定されていることをその要旨とする。
従って、請求項２に記載の発明によれば、タッチタイピングができない未熟なユーザーが、主表示装置を見ないで入力装置だけを見ながら文字入力を行った場合でも、補助表示装置の表示画面を視認できることから、誤入力（例えば、同音異義語の誤変換など）に気付いて文字入力の誤りを正すことができる。
【０００７】
また、ユーザーは、文字入力が正確に行われているかどうかを確認する際に、入力装置と主表示装置との間で頻繁に視線を移動させる必要が無くなるため、このような視線移動に起因する眼精疲労を防止することができる。
そして、書類を読みながらその文章内容を入力装置を用いて入力する場合、補助表示装置を入力装置の近傍に置くと共に書類の近傍に置くようにすれば、書類と入力装置と補助表示装置との間で視線を大きく移動させる必要が無くなる。そのため、タッチタイピングができる熟練ユーザーについても、視線移動に起因する眼精疲労を軽減することができる。
【０００８】
（請求項３）
次に、請求項３に記載の発明は、請求項１または請求項２に記載の情報機器において、前記補助表示装置は、前記入力装置と一体化されていることをその要旨とする。
従って、請求項３に記載の発明によれば、補助表示装置と入力装置を一体化することで、情報機器全体を小型化することが可能になると共に、部品点数を減らして製造コストを削減することもできる。
【０００９】
（請求項４）
次に、請求項４に記載の発明は、請求項１または請求項２に記載の情報機器において、書類を固定するための書類押さえ装置を備え、前記補助表示装置は、前記書類押さえ装置に取り付けられていることをその要旨とする。
従って、請求項４に記載の発明によれば、書類押さえ装置に固定された書類を読みながらその文章内容を入力装置を用いて入力する場合、書類と補助表示装置との間で視線を移動させる必要が無くなる。そのため、タッチタイピングができる熟練ユーザーについても、視線移動に起因する眼精疲労を軽減することができる。
【００１０】
（請求項５）
次に、請求項５に記載の発明は、請求項１〜４のいずれか１項に記載の情報機器において、前記補助表示装置は、前記主表示装置の表示画面で指定された文字画像を拡大表示することをその要旨とする。
従って、請求項５に記載の発明によれば、文字画像を拡大表示することで文字の表示品位を高め、複雑な文字でも明確に表示することが可能になるため、ユーザーは所望の文字を正確に入力することができる。
【００１１】
（請求項６）
次に、請求項６に記載の発明は、請求項５に記載の情報機器において、前記補助表示装置は、前記主表示装置の表示画面で指定された文字画像を拡大表示することに加えて、入力文字の文字種類を表す文字入力モードを表示することをその要旨とする。
従って、請求項６に記載の発明によれば、ユーザーは所望の文字入力モードであるかどうかを簡単かつ容易に確認可能になり、例えば、平仮名で入力したいにも関わらず英字で入力してしまうような誤入力を確実に防止できる。
【００１２】
（請求項７）
次に、請求項７に記載の発明は、請求項１〜６のいずれか１項に記載の情報機器において、前記補助表示装置は、表計算ソフトウェアの使用に際して、前記主表示装置の表示画面で指定された計算枠に設定されている数式の内容または数値を表示することをその要旨とする。
従って、請求項７に記載の発明によれば、ユーザーは、主表示装置の表示画面で指定された計算枠に設定されているのが数式なのか又は数値なのかを、補助表示装置を見るだけで認知することができる。そのため、数式が設定されている計算枠に数値を入力してしまうような誤りを確実に防止可能になり、正確な入力を簡単かつ容易に行うことができる。
【００１３】
（請求項８）
次に、請求項８に記載の発明は、請求項１〜７のいずれか１項に記載の情報機器において、前記補助表示装置は、ビットマップ画像編集ソフトウェアの使用に際して、前記主表示装置の表示画面で指定された部分の拡大画像を表示することをその要旨とする。
従って、請求項８に記載の発明によれば、ユーザーは、主表示装置の表示では分かり難い画像の細部を、補助表示装置の表示によってピクセル状態まで正確に把握することが可能になり、高品位な画像編集ができることに加え、画像編集の効率を向上させることもできる。
【００１４】
【発明の実施の形態】
以下、本発明を具体化した一実施形態を図面と共に説明する。
［実施形態の主要構成］
図１は、本実施形態における情報機器１０の全体斜視図である。
情報機器１０は、パーソナルコンピュータ本体２０、入力装置３０、外部記憶装置４０、主表示装置５０、補助表示装置６０などから構成されている。
入力装置３０は、キーボード３２およびポインティングデバイス３４から構成されている。尚、ポインティングデバイス３４には、どのようなタイプ（例えば、マウス、トラックボール、ジョイステックなど。図示例はマウス）を用いてもよい。
【００１５】
外部記憶装置４０には、どのような記憶装置（例えば、フロッピーディスクドライブ、ＣＤ−ＲＯＭドライブ、ＤＶＤ−ＲＯＭドライブ、ハードディスクドライブなど。図示例はＣＤ−ＲＯＭドライブ）を用いてもよい。また、図示例ではパーソナルコンピュータ本体２０に外部記憶装置４０が内蔵されているが、パーソナルコンピュータ本体２０とは別体に外部記憶装置４０を設けてもよい。
主表示装置５０には、どのような表示装置（例えば、ＣＲＴ、プラズマディスプレイ、ＬＣＤ（Ｌｉｑｕｉｄ　Ｃｒｙｓｔａｌ　Ｄｉｓｐｌａｙ）、ＥＬＤ（Ｅｌｅｃｔｒｏ　Ｌｕｍｉｎｅｓｃｅｎｃｅ　Ｄｉｓｐｌａｙ）など。図示例はＣＲＴ）を用いてもよい。
【００１６】
補助表示装置６０には、どのような表示装置（例えば、プラズマディスプレイ、ＬＣＤ、ＥＬＤなど）を用いてもよい。
補助表示装置６０には接続ケーブル６０ａが接続されており、その接続ケーブル６０ａの先端部にはＵＳＢ（Ｕｎｉｖｅｒｓａｌ　Ｓｅｒｉａｌ　Ｂｕｓ）コネクタ６０ｂが接続されている。そして、ＵＳＢコネクタ６０ｂは、パーソナルコンピュータ本体２０に設けられたＵＳＢポート２４に接続されている。
補助表示装置６０は、主表示装置５０に比べて小型であり、キーボード３２の近傍に設置しても邪魔にならない大きさ（例えば、縦：数ｃｍ×横：十数ｃｍ×奥行：数ｍｍ）に形成されている。そして、補助表示装置６０の設置場所は、キーボード３２を操作するユーザーが、キーボード３２から視線を移動させることなく補助表示装置６０の表示画面を視認可能な場所に設定されている。
【００１７】
図２〜図４は、補助表示装置６０の設置例を説明するための要部斜視図である。
図２に示す設置例では、キーボード３２上面のキーが配置されていないスペースに両面接着テープＪＴを貼付しておき（図２（Ａ））、その両面接着テープＪＴを用いて補助表示装置６０の底面を接着することで、キーボード３２上面に対して補助表示装置６０を載置固定させている（図２（Ｂ））。
図３に示す設置例では、キーボード３２上面のキーが配置されていないスペースに断面コ字状の取付固定具ＪＰを設けておき（図３（Ａ））、その取付固定具ＪＰの凹部に補助表示装置６０を嵌合固定することで、キーボード３２上面に対して補助表示装置６０を載置固定させている（図３（Ｂ））。
【００１８】
尚、図２および図３に示す設置例において、補助表示装置６０は、キーボード３２上面のキーが配置されていないスペースに載置可能な大きさに形成されている。
図４に示す設置例では、キーボード３２の近傍に補助表示装置６０が単に置かれている。
尚、キーボード３２上面のキーが配置されていないスペースに補助表示装置６０を単に置くようにしてもよく、補助表示装置６０を自立可能な形状に形成しておけば、キーボード３２に対して補助表示装置６０を必ずしも固定する必要はない。
そして、キーボード３２を操作しながら補助表示装置６０が見易い位置になるように、ユーザー自身が補助表示装置６０の設置場所を設定すればよい。
【００１９】
図５は、情報機器１０の主要構成を示すブロック図である。
パーソナルコンピュータ本体２０は、マイクロコンピュータ（マイクロプロセッサ）２２、ＵＳＢ（Ｕｎｉｖｅｒｓａｌ　Ｓｅｒｉａｌ　Ｂｕｓ）ポート２４などから構成されている。
マイクロコンピュータ２２は、各種演算処理を実行するＣＰＵ２２ａと、ＣＰＵ２２ａが各種演算処理を実行するための各種プログラムなどが記憶されたＲＯＭ２２ｂと、ＣＰＵ２２ａが各種演算処理を実行する際の中間データなどを記憶するためのＲＡＭ２２ｃと、入出力（Ｉ／Ｏ）回路２２ｄとから構成されている。
【００２０】
入力装置３０を構成するキーボード３２およびポインティングデバイス３４は、情報機器１０のユーザーによる入力命令をデータ信号に変換し、そのデータ信号を入出力回路２２ｄを介してＣＰＵ２２ａへ転送する。
外部記憶装置４０は、コンピュータで読み取り可能な記録媒体（記憶媒体）４２に記録されているデータ信号を読み出し、そのデータ信号を入出力回路２２ｄを介してＣＰＵ２２ａへ転送すると共に、入出力回路２２ｄを介して転送されてくるＣＰＵ２２ａからのデータ信号を記録媒体４２に書き込んで記録（記憶）させる。
【００２１】
尚、記録媒体４２には、外部記憶装置４０の形式に合わせた適宜な記録媒体を使用すればよく、そのような記録媒体として、例えば、フロッピーディスク、ハードディスク、データカード（ＩＣカード，磁気カードなど）、光ディスク（ＣＤ−ＲＯＭ，ＣＤ−Ｒ，ＣＤ−ＲＷ，ＤＶＤなど）、光磁気ディスク（ＭＯなど）、相変化ディスク、磁気テープなど）、半導体メモリ（メモリスティック，スマートメディアなど）などがあげられる。ちなみに、前記した外部記憶装置４０および記録媒体４２の具体例の名称は登録商標である。
【００２２】
主表示装置５０は、入出力回路２２ｄを介して転送されてくるＣＰＵ２２ａの演算処理結果などを表示画面に表示する。
補助表示装置６０は、後述するように、ＵＳＢポート２４から入出力回路２２ｄを介して転送されてくるＣＰＵ２２ａの演算処理結果などを表示画面に表示する。
【００２３】
［補助表示装置６０の表示動作］
情報機器１０のユーザーは、補助表示装置６０の使用を開始する前に、前記のように、補助表示装置６０のＵＳＢコネクタ６０ｂをパーソナルコンピュータ本体２０のＵＳＢポート２４に接続する。次に、ユーザーは、補助表示装置６０を使用するためのアプリケーションプログラムのソフトウェアが記憶されている記録媒体４２を外部記憶装置４０にセットし、記録媒体４２から読み出されたソフトウェアを外部記憶装置４０からＣＰＵ２２ａにロードして起動させる。
【００２４】
尚、前記ソフトウェアは、パーソナルコンピュータ本体２０のＯＳ（Ｏｐｅｒａｔｉｎｇ　Ｓｙｓｔｅｍ）に対応したものを作成すればよく、例えば、ＯＳとしてアップル社のＭａｃｉｎｔｏｓｈやマイクロソフト社のＷｉｎｄｏｗｓなどのＧＵＩ（Ｇｒａｆｉｃａｌ　Ｕｓｅｒ　Ｉｎｔｅｒｆａｃｅ）に対応して前記ソフトウェアを作成すれば、主表示装置５０の表示を見ながら補助表示装置６０を操作可能になるため当該操作が簡単かつ容易になる。以下、本実施形態では、ＯＳとしてＧＵＩを用いた場合について説明する。ちなみに、前記ＯＳの具体例の名称は登録商標である。
また、パーソナルコンピュータ本体２０が記憶装置としてハードディスクドライブを備えている場合、前記ソフトウェアをハードディスクドライブにインストールしておけば、前記ソフトウェアの起動が簡単かつ容易になる。
【００２５】
パーソナルコンピュータ本体２０において前記ソフトウェアが起動されると、補助表示装置６０の表示設定のためのダイアログ・ボックスが主表示装置５０に表示される。
図６は、主表示装置５０に表示された補助表示装置６０の表示設定のためのダイアログ・ボックスの一例を示す説明図である。
主表示装置５０に表示されたダイアログ・ボックスＤａには、アプリケーションソフトの名称（アプリケーション名）と、それぞれのアプリケーションソフトの表示項目とを任意に選択変更するための項目が設定されている。
例えば、アプリケーションソフトとしては、マイクロソフト社のＭｉｃｒｏｓｏｆｔ　Ｅｘｃｅｌ、Ｍｉｃｒｏｓｏｆｔ　Ｗｏｒｄ、Ｍｉｃｒｏｓｏｆｔペイントや、ジャストシステム社の一太郎などを選択設定することができる。ちなみに、前記アプリケーションソフトの具体例の名称は登録商標である。
【００２６】
また、アプリケーションソフトの表示項目としては、３種類の表示項目１〜３が設定されており、任意の表示項目を選択設定することができる。
表示項目１はダイアログ・ボックスＤａでは「入力文字表示」と表示され、ユーザーがキーボード３２を用いて入力した文字を補助表示装置６０に表示させる機能に対応している。
表示項目２はダイアログ・ボックスＤａでは「数式バーの内容または数値の表示」と表示され、表計算ソフトウェアの使用に際して、主表示装置５０の表示画面でユーザーが選択指定した計算枠（セル）に設定されている数式の内容または数値を補助表示装置６０に表示させる機能に対応している。
表示項目３はダイアログ・ボックスＤａでは「ポインタ位置の拡大表示」と表示され、ビットマップ画像編集ソフトウェアの使用に際して、主表示装置５０の表示画面でユーザーがポインタ位置によって選択指定した部分の拡大画像を補助表示装置６０に表示させる機能に対応している。
【００２７】
このように、ダイアログ・ボックスＤａによってアプリケーションソフトと表示項目とをユーザーが予め設定しておくと、ユーザーがアクティブにしたアプリケーションソフトに設定されている表示項目が自動的に補助表示装置６０に表示される。
例えば、図６に示すように、Ｍｉｃｒｏｓｏｆｔ　Ｅｘｃｅｌで表示項目２が設定され、一太郎で表示項目１が設定されている場合、Ｍｉｃｒｏｓｏｆｔ　Ｅｘｃｅｌがアクティブにされると表示項目２が自動的に補助表示装置６０に表示され、一太郎がアクティブにされると表示項目１が自動的に補助表示装置６０に表示される。
尚、アプリケーションソフトとして選択設定したもの以外のアプリケーションソフトを利用する際には、図６に示すダイアログ・ボックスＤａの「その他」に対応する表示項目４が自動的に補助表示装置６０に表示される。
【００２８】
ところで、ユーザーは、ダイアログ・ボックスＤａによって設定したのと異なる表示項目を補助表示装置６０に表示させることを望む場合、補助表示装置６０の表示設定のためのポップアップ・メニューを主表示装置５０に表示させ、そのポップアップ・メニューから所望の表示項目を選択設定すればよい。
図７は、主表示装置５０に表示された補助表示装置６０の表示設定のためのポップアップ・メニューの一例を示す説明図である。
主表示装置５０に表示されたポップアップ・メニューＭａには、３種類の表示項目１〜３が表示され、ダイアログ・ボックスＤａによって設定されている表示項目のチェック・ボックスにチェック・マークが表示されている。
そして、補助表示装置６０に表示させる表示項目を切り替えるには、入力装置３０を用いて所望の表示項目のチェック・ボックスにチェック・マークを記入すればよい。
【００２９】
（表示項目１）
図８〜図１０は、表示項目１について説明するための説明図である。
図８および図９は、ＯＳとしてＷｉｎｄｏｗｓ９８を用いるパーソナルコンピュータ本体２０における主表示装置５０の表示画面の一例を示す説明図である。
主表示装置５０の表示画面における文字入力カーソル近傍には、「県の県」という文字列が表示されている。
図８は、文字入力モードを表すツールバーが画面下端のタスクバーの右方に表示されている状態を示す。また、図９は、文字入力モードを表すツールバーがタスクバーのトレイに格納されている状態を示す。
尚、文字入力モードは、入力文字の文字種類（例えば、平仮名、全角片仮名、半角片仮名、全角英字、半角英字など）を表すものである。
【００３０】
図１０は、図８および図９に示す主表示装置５０の表示画面に対応した補助表示装置６０の表示画面を示す説明図である。
補助表示装置６０には、主表示装置５０の文字カーソル近傍の文字画像Ｇａが大きく表示されると共に、文字入力モードを表す記号Ｇｂが画面右端に表示される。つまり、補助表示装置６０には、主表示装置５０の表示画面でユーザーが文字カーソルによって選択指定した文字画像が拡大表示される。
この表示例では、文字入力モードとして平仮名が設定されているため、四角枠で囲んだ平仮名の「あ」が記号Ｇｂとして表示され、「県の県」という文字列が文字画像Ｇａとして表示されている。
【００３１】
＜表示項目１に係る作用・効果＞
表示項目１によれば、以下の作用・効果を得ることができる。
（１）ユーザーがキーボード３２を用いて入力した文字を補助表示装置６０に表示させる際に、パーソナルコンピュータ本体２０は、補助表示装置６０を使用するためのアプリケーションプログラムのソフトウェアにより、主表示装置５０に表示している文字の文字コードを取得する。そして、パーソナルコンピュータ本体２０は、取得した文字コードの文字形状データを生成し、その文字形状データを補助表示装置６０へ転送する。
【００３２】
そのため、補助表示装置６０は、文字形状データに基づいて文字を表示することから、文字の表示品位を高めることが可能になり、複雑な文字や類似した文字でも明確に表示することができる。従って、表示項目１によれば、ユーザーは所望の文字を正確に入力することができる。
尚、そのような複雑な文字や類似した文字は、人名や地名などに多く使用されている。
例えば、人名の「渡辺」は「渡邉」または「渡邊」と表記されることがある。このとき、主表示装置５０の解像度が低めに設定されている場合、「辺」の旧字体である「邉」と「邊」を明確に区別可能なように表示するのが困難なことがある。しかし、補助表示装置６０は、文字形状データに基づいて文字を表示するため、「邉」と「邊」を明確に区別可能なように表示することができる。
【００３３】
（２）日本語入力では、キーボード３２を使用してローマ字入力またはカナ入力を行った後に漢字変換を行う際に、同音異義語に変換される場合が多々ある。
図８〜図１０に示す表示例は、ユーザーが「県の件」と入力したい場合に、「けんのけん」と入力して漢字変換を行った結果、「件」が同音異義語の「県」に変換され、「県の県」と誤って変換されたものである。
前記のように、補助表示装置６０の設置場所は、キーボード３２を操作するユーザーが、キーボード３２から視線を移動させることなく補助表示装置６０の表示画面を視認可能な場所に設定されている。そして、主表示装置５０の表示画面に比べて、補助表示装置６０の表示画面には入力した文字が大きく表示される。
【００３４】
そのため、タッチタイピングができない未熟なユーザーが、主表示装置５０を見ないでキーボード３２だけを見ながら文字入力を行った場合でも、補助表示装置６０の表示画面を視認できることから、同音異義語の誤変換に気付いて文字入力の誤りを正すことができる。
また、ユーザーは、文字入力が正確に行われているかどうかを確認する際に、キーボード３２と主表示装置５０との間で頻繁に視線を移動させる必要が無くなるため、このような視線移動に起因する眼精疲労を防止することができる。
【００３５】
そして、書類を読みながらその文章内容をキーボード３２を用いて入力する場合、図４に示すように、補助表示装置６０をキーボード３２の近傍に置くと共に書類の近傍に置くようにすれば、書類とキーボード３２と補助表示装置６０との間で視線を大きく移動させる必要が無くなる。そのため、タッチタイピングができる熟練ユーザーについても、視線移動に起因する眼精疲労を軽減することができる。
従って、表示項目１によれば、ユーザーに負担をかけることなく、正確な文字入力を簡単かつ容易に行うことができる。
尚、補助表示装置６０を大型化して文字を大きく表示すれば、上記作用・効果を更に高めることが可能になり、視力が弱いユーザーや視力が低下している年配のユーザーでも正確な文字入力を簡単かつ容易に行うことができる。
【００３６】
（３）補助表示装置６０には、主表示装置５０の文字カーソル近傍の文字画像Ｇａだけでなく、文字入力モードを表す記号Ｇｂも表示される。
そのため、図９に示すように文字入力モードを表すツールバーがタスクバーのトレイに格納されている場合や、ＯＳとしてＷｉｎｄｏｗｓＸＰを用いたときに文字入力モードが主表示装置５０に表示されない場合でも、ユーザーは補助表示装置６０を見るだけで現在の文字入力モードを認知することができる。
従って、表示項目１によれば、ユーザーは所望の文字入力モードであるかどうかを簡単かつ容易に確認可能になり、例えば、平仮名で入力したいにも関わらず英字で入力してしまうような誤入力を確実に防止できる。
尚、文字入力モードを表す記号Ｇｂについては、その表示の有無をユーザーが選択可能にしてもよい。
【００３７】
（表示項目２）
図１１は、表示項目２について説明するための説明図である。
図１１（Ａ）は、主表示装置５０に表示された表計算ソフトウェアの計算表の一例を示す説明図である。
図１１（Ｂ）（Ｃ）は、図１１（Ａ）に示す主表示装置５０の表示画面に対応した補助表示装置６０の表示画面を示す説明図である。
図１１（Ｂ）は、主表示装置５０の表示画面においてユーザーがカーソル枠Ｋａで選択指定した計算枠（セル）に設定されている数式バーの内容（＝Ｂ１１＊Ｃ１１）が表示されている状態を示す。図１１（Ｃ）は、主表示装置５０の表示画面においてユーザーがカーソル枠Ｋａで選択指定した計算枠に設定されている数値（￥４００）が表示されている状態を示す。
【００３８】
＜表示項目２に係る作用・効果＞
表示項目２によれば、ユーザーは、主表示装置５０の表示画面においてカーソル枠Ｋａで選択指定された計算枠に設定されているのが数式なのか又は数値なのかを、補助表示装置６０を見るだけで認知することができる。
従って、数式が設定されている計算枠に数値を入力してしまうような誤りを確実に防止可能になり、正確な入力を簡単かつ容易に行うことができる。
【００３９】
（表示項目３）
図１２は、表示項目３について説明するための説明図である。
図１２（Ａ）は、ビットマップ画像編集ソフトウェアによる主表示装置５０の表示例を示す説明図である。
図１２（Ｂ）は、図１２（Ａ）に示す主表示装置５０の表示画面に対応した補助表示装置６０の表示画面を示す説明図である。
補助表示装置６０には、主表示装置５０の表示画面でユーザーがポインタ位置によって選択指定した部分の拡大画像が表示されている。
【００４０】
＜表示項目３に係る作用・効果＞
表示項目３によれば、ユーザーは、主表示装置５０の表示では分かり難い画像の細部を、補助表示装置６０の表示によってピクセル状態まで正確に把握することが可能になり、高品位な画像編集ができることに加え、画像編集の効率を向上させることもできる。
【００４１】
［別の実施形態］
ところで、本発明は上記実施形態に限定されるものではなく、以下のように具体化してもよく、その場合でも、上記実施形態と同等もしくはそれ以上の作用・効果を得ることができる。
［１］上記実施形態では、キーボード３２とは別体に補助表示装置６０を設けている。しかし、図１３に示すように、補助表示装置６０をキーボード３２上面のキーが配置されていないスペースに内蔵し、補助表示装置６０とキーボード３２を一体化してもよい。
このようすれば、情報機器１０全体を小型化することが可能になると共に、部品点数を減らして製造コストを削減することもできる。
【００４２】
［２］図１４に示すように、書類を固定して主表示装置５０と並べて配置するための書類押さえ装置７０に補助表示装置６０を取り付けるようにしてもよい。
この書類押さえ装置７０は、書類を載置するための載置板７２と、載置板７２を立てた状態で保持するための脚部７４と、載置板７２の側部に蝶番７６を介して開閉自在に取り付けられた書類押さえ板７８とを備えている。そして、載置板７２に載置された書類ＭＰを書類押さえ板７８で押さえ、書類ＭＰが載置板７２から脱落しないようにすることができる。
【００４３】
そこで、書類押さえ板７８に補助表示装置６０を取り付ければ、書類を読みながらその文章内容をキーボード３２を用いて入力する場合、書類と補助表示装置６０との間で視線を移動させる必要が無くなる。そのため、タッチタイピングができる熟練ユーザーについても、視線移動に起因する眼精疲労を軽減することができる。
尚、このような書類押さえ装置７０は多種多様な商品が市販されて広く使用されており、例えば、エレコム社の商品名「データホルダー」などがある。
また、補助表示装置６０は、書類押さえ板７８に取り付けるだけでなく、ユーザーから見易い位置であれば、書類押さえ装置７０のどの部分に取り付けてもよい。そして、補助表示装置６０は、書類押さえ装置７０に固定一体化してもよく、書類押さえ装置７０に対して着脱自在に取り付けるようにしてもよい。
【００４４】
［３］補助表示装置６０をヘッドマウント型ディスプレイによって構成し、ユーザーは、当該ヘッドマウント型ディスプレイを装着した状態で、当該ヘッドマウント型ディスプレイを透視して主表示装置５０の表示画面を見るようしてもよい。
［４］上記実施形態では、パーソナルコンピュータ本体２０と補助表示装置６０とをＵＳＢを用いて接続している。
しかし、パーソナルコンピュータ本体２０と補助表示装置６０との接続は、ＵＳＢに限らず、どのような方法（例えば、赤外線通信、無線ＬＡＮ（Ｌｏｃａｌ　Ａｒｅａ
Ｎｅｔｗｏｒｋ）、無線通信（Ｂｌｕｅｔｏｏｔｈなど）など）を用いてもよい。
【００４５】
［５］上記実施形態は日本語入力に適用したものであるが、どのような言語（例えば、中国語、ロシア語など）の文字入力にも本発明は適用可能である。
［６］上記実施形態はパーソナルコンピュータ本体２０を備えた情報機器１０に適用したものであるが、どのような情報機器（例えば、携帯情報端末、ワードプロセッサなど）にも本発明は適用可能である。
【図面の簡単な説明】
【図１】本発明を具体化した一実施形態における情報機器１０の全体斜視図。
【図２】一実施形態の補助表示装置６０の設置例を説明するための要部斜視図。
【図３】一実施形態の補助表示装置６０の設置例を説明するための要部斜視図。
【図４】一実施形態の補助表示装置６０の設置例を説明するための要部斜視図。
【図５】情報機器１０の主要構成を示すブロック図。
【図６】主表示装置５０に表示された補助表示装置６０の表示設定のためのダイアログ・ボックスの一例を示す説明図。
【図７】主表示装置５０に表示された補助表示装置６０の表示設定のためのポップアップ・メニューの一例を示す説明図。
【図８】表示項目１について説明するための説明図。
【図９】表示項目１について説明するための説明図。
【図１０】表示項目１について説明するための説明図。
【図１１】表示項目２について説明するための説明図。
【図１２】表示項目３について説明するための説明図。
【図１３】補助表示装置６０の別の設置例を説明するための要部斜視図。
【図１４】補助表示装置６０の別の設置例を説明するための要部斜視図。
【符号の説明】
１０…情報機器
２０…パーソナルコンピュータ本体
３０…入力装置
４０…外部記憶装置
５０…主表示装置
６０…補助表示装置
【図１】
2004030155.tif 000003
【図２】
2004030155.tif 000004
【図３】
2004030155.tif 000005
【図４】
2004030155.tif 000006
【図５】
2004030155.tif 000007
【図６】
2004030155.tif 000008
【図７】
2004030155.tif 000009
【図８】
2004030155.tif 000010
【図９】
2004030155.tif 000011
【図１０】
2004030155.tif 000012
【図１１】
2004030155.tif 000013
【図１２】
2004030155.tif 000014
【図１３】
2004030155.tif 000015
【図１４】
2004030155.tif 000016